(57)【要約】【課題】ＤＮＡマイクロアレイのような平坦な基板から成るプローブ担体を用いて、高精度且つ短時間に標的物質の検出が可能な検出方法および装置を提供する。【解決手段】担体上の所定の位置に存在する酵素を発光反応により検出する酵素検出装置であって、担体を載置するための載置台と、載置台に載置された担体上の所定の位置に、且つ局所的に前記酵素との発光反応に寄与する物質を付与するための吐出手段と、前記物質の付与によって発光した発光シグナル検出する検出手段と、を有する。担体上の所定の位置に存在する酵素を発光反応により検出する酵素検出方法であって、担体上の所定の位置に、且つ局所的に前記酵素との発光反応に寄与する物質の微量液滴を付与する工程と、前記物質が付与されるタイミングに基づいて、前記プローブ担体上の発光シグナルを検出する工程と、を有する。【選択図】図１
2007178428.tif 000002
【特許請求の範囲】
【請求項１】
標的物質と特異的に結合可能なプローブの複数が担体表面の異なる位置に固定されたプローブ担体を用いて、発光反応により標的物質を検出するための検出方法であって、
前記プローブ担体上のプローブが固定されている複数の位置に、発光反応に寄与する反応寄与物質を含む液体を微小液滴として順次吐出して、前記担体表面に複数の微小液滴を形成する工程と、前記液体が吐出されたタイミングに基づいて、前記液体が付与された複数のプローブ位置の発光シグナルを検出する工程と、を有することを特徴とする検出方法。
【請求項２】
前記液体の吐出が、
前記液滴を吐出するための吐出ノズルと、前記プローブ担体との相対的な移動により前記プローブが固定された位置の複数に対して一つのノズルから順次に吐出される請求項１に記載の検出方法。
【請求項３】
前記プローブ担体が、前記複数のプローブが固定されている平坦な面を有する請求項１に記載の検出方法。
【請求項４】
前記発光反応が、酵素を用いた発光反応である請求項１に記載の検出方法。
【請求項５】
前記担体表面に液滴を形成する工程は、
前記プローブ担体上のプローブが固定されている位置に、発光試薬を含む液滴を吐出する第１の工程と、
前記プローブ担体上のプローブが固定されている位置に、発光反応における基質を含む液滴を吐出する第２の工程と、
前記プローブ担体上のプローブが固定されている位置に、発光反応における増感試薬を含む液滴を吐出する第３の工程と、
の少なくとも１つの工程を有する
請求項１に記載の検出方法。
【請求項６】
発光試薬、発光反応における基質および発光反応における増感試薬の中から選択される少なくとも２つ以上を混合し、該混合物を含む液滴を吐出する請求項１に記載の検出方法。
【請求項７】
前記発光反応が、化学発光反応または生物発光反応である請求項１に記載の検出方法。
【請求項８】
前記プローブが、核酸であるか、もしくは抗原及び抗体のいずれか一方である請求項１に記載の検出方法。
【請求項９】
前記吐出のタイミングと同時または直後から、担体上の付与した位置における発光シグナルを検出する請求項１に記載の検出方法。
【請求項１０】
標的物質と特異的に結合可能なプローブの複数が担体表面の異なる位置に固定されたプローブ担体を用いて、発光反応により標的物質を検出するための検出装置であって、
前記プローブ担体のプローブが固定されている複数の位置に対して、発光反応に寄与する反応寄与物質を含む微小液滴を吐出する吐出手段と、
該液滴が吐出されたタイミングに基いて、該液体が付与されたプローブ位置の発光シグナルを検出する検出手段と、
を有することを特徴とする検出装置。
【請求項１１】
前記吐出手段が、液体の付与量および付与時間を制御可能な請求項１０に記載の装置。
【請求項１２】
前記吐出手段が、前記液体を吐出するための吐出ノズルを備えるヘッドと、前記液体を収容するタンクとを備える請求項１０に記載の装置。
【請求項１３】
前記吐出手段が、前記タンクを複数備え、かつ、該複数のタンクからの複数の前記反応寄与物質を混合するための混合槽を有する請求項１０に記載の装置。
【請求項１４】
前記検出する手段が、前記液体を吐出すると同時であるかまたはその直後からの担体上の前記微小液滴付与位置における発光シグナルを検出可能な請求項１０に記載の装置。
【請求項１５】
前記プローブ担体の担体が透明であり、前記検出手段が該担体の前記反応寄与物質が付与された側とは反対側から前記発光シグナルを検出可能な構造を有する請求項１０に記載の装置。
【発明の詳細な説明】
【技術分野】
【０００１】
本発明は、DNAマイクロアレイ等の標的物質と特異的に結合可能なプローブが担体上に固定されたプローブ担体を用いた標的物質の検出方法およびそれに用いる装置に関する。
【背景技術】
【０００２】
感染症の診断や、がん細胞の発見などのための、DNAマイクロアレイ等のプローブアレイを用いた検出方法が知られている。この方法は、血液や便などの検体から標的となるＤＮＡを抽出し、プローブアレイと反応させることで、反応したプローブからその標的DNAを特定する方法である。従来は、この反応の有無の検出に、標的核酸に蛍光標識を結合させる方法が利用されていた。（特許文献１を参照）
また、生体試料の高感度検出方法として化学発光法が知られている。化学発光反応を用いて生体試料を検出する方法は、従来イムノアッセイにおいて用いられている。イムノアッセイでは、まず抗原抗体反応を用いて標的物質を含む複合体を形成する。次に、検出マーカーとなる物質を複合体に標識し、発光反応を行うことにより発光検出を行う。
【０００３】
化学発光を様々な検出に利用する試みは、従来からも行われている。特許文献２には、フローセルに接続する被測定液流路の複数の箇所に、化学発光試薬混合器から分岐する流路が夫々接続していることを特徴とする化学発光法による液体蛍光分析装置が開示されている。
【０００４】
また、特許文献３には、マイクロウエルプレート上での化学発光検出を実現するためにの発光検出装置が開示されている。この装置は、マイクロアレイプレートを保持する保持手段と、マイクロアレイプレートに形成された微小ウエルの間隔と同じ間隔で先端を微小ウエルに挿入可能な複数の光伝導ガイドと、を有する。この装置は更に、光伝導ガイドと組み合わされて個々の微小ウエルに発光反応の基質溶液を導入するための基質溶液注入手段を有する。
【特許文献１】特開平１１−１８７９００号公報
【特許文献２】特開平７−１９０９３７号公報
【特許文献３】国際公開WO2003/31952号パンフレット
【発明の開示】
【発明が解決しようとする課題】
【０００５】
蛍光標識法よりも検出感度が高くなると期待できる化学発光法をＤＮＡマイクロアレイに適用しようとする試みは、上記のWO2003/31952号にて為されている。しかし、ここに開示されているのは従来のＤＮＡマイクロアレイのような平坦な基板を用いて、化学発光検出を行う方法ではない。基板上に微小なウエルを設け、該ウエルに試薬を注入するキャピラリーと、発光を検出する光伝導ガイドが一体化された発光検知ユニットを複数のウエルにそれぞれ個別に挿入する構成である。このため、アレイ基板および検出装置を複雑な構成とする必要があった。また、ウエル中に液体を供給する構成であるため、ウエルの厚さ分の光拡散によるバックグラウンド発光が生じる。さらに、ウエル内における発光試薬の拡散が生じるため、反応時間にばらつきが生じ、更に、ウエル毎に光伝導ガイドを設置して発光検出を行う構成であるため、検出に時間を要する。
【０００６】
また、平坦なマイクロアレイに形成したプローブ担体上に発光試薬を滴下した場合、プローブ担体領域以外にも発光試薬が拡散するため、プローブ担体上の発光シグナルを正しく測定できないという問題がある。
【０００７】
本発明は、上記の課題に鑑み、従来の平坦なマイクロアレイを用いることができ、且つ従来法より高精度且つ短時間に検出を行うことのできる方法および装置を提供することを課題とする。
【課題を解決するための手段】
【０００８】
上記の課題を解決するために、本発明に係る標的物質の検出方法は、
標的物質と特異的に結合可能なプローブの複数が担体表面の異なる位置に固定されたプローブ担体を用いて、発光反応により標的物質を検出するための検出方法であって、
前記プローブ担体上のプローブが固定されている複数の位置に、発光反応に寄与する反応寄与物質を含む液体を微小液滴として順次吐出して、前記担体表面に複数の液滴を形成する工程と、
前記液体が吐出されたタイミングに基づいて、前記液体が付与された複数のプローブ位置の発光シグナルを検出する工程と、を有することを特徴とする。
【０００９】
また、本発明に係る検出装置は、
標的物質と特異的に結合可能なプローブの複数が担体表面の異なる位置に固定されたプローブ担体を用いて、発光反応により標的物質を検出するための検出装置であって、
前記プローブ担体のプローブが固定されている複数の位置に対して、発光反応に寄与する反応寄与物質を含む微小液滴を吐出する手段と、
前記吐出されたプローブ位置の発光シグナルを検出する手段と、
を有することを特徴とする。
【発明の効果】
【００１０】
本発明によれば、発光反応に寄与する反応寄与物質を含む試薬を平坦な基板上に形成したプローブ担体上に微小液滴として順次吐出することにより、プローブ担体上に発光試薬から成る微小液滴が形成される。そして、液滴が吐出されるタイミングに基づき各プローブ担体における発光シグナルを検出することにより、プローブ担体表面における発光シグナルの検出時間を個別に制御することができる。また、微小液滴が担体上で形成されるので、反応場の極小化が可能になり、発光試薬の拡散が生じることが無いため、反応時間も短く、発光シグナルのばらつきも少ない。さらに、エリアセンサを用いてプローブ担体毎の発光シグナルを一括検出することにより、検出時間の短縮が可能となる。これにより、ＤＮＡマイクロアレイ等の平坦な基板から成るプローブ担体を用いて、高精度且つ短時間に標的物質の検出を行うことが可能となった。
【発明を実施するための最良の形態】
【００１１】
本発明の標的物質の検出装置の一形態につき、図１を用いて説明するが、本発明はこれによって限定されるものではない。
【００１２】
発光反応としては、発光により検出することができる反応であればよく、例として酵素を用いた化学発光反応や生物発光反応を挙げることができる。
【００１３】
担体１には、ＤＮＡ等の核酸や抗原などの第１の生体物質（検出対象としての試料）と、標識酵素を有し、かつ第１の生体物質に対して特異的に結合し得る第２の生体物質との複合体が固定されている。この複合体は、担体１のスポット２内に固定された第１の生体物質に第２の生体物質を反応させることにより得ることができる。第２の生体物質が既知のものであれば、これと特異的に結合する第１の生体物質を特定可能となる。第１の生体物質と第２の生体物質との結合は、核酸であれば相補配列間のハイブリダイゼーションであり、抗原抗体であれば抗原抗体反応による結合である。なお、担体１に固定される複合体の構成は、標識酵素を利用して第１の生体物質と第２の生体物質を含む複合体を検出し得るものであれば、上記の例に限定されず、用いる検出方法の種類によって異なる。
【００１４】
担体としてはプローブが固定されている表面が平坦である構成が好ましく、通常平板担体が用いられる。
【００１５】
この装置は、担体１を載置するための載置台３を有する。担体は載置台に着脱可能に固定される。
【００１６】
酵素との発光反応に寄与する物質（発光反応寄与物質）を担体上に付与する微小液滴を吐出する吐出手段は、発光反応寄与物質を収容するタンク４と、発光寄与物質をインジェクション機能により担体上にスポットするヘッド５を有する。ヘッドには、発光反応寄与物質を吐出する吐出ノズル７、発光反応寄与物質をタンクから吐出ノズルへ導く流路６が備わる。
【００１７】
微小液滴吐出手段は、発光寄与物質の付与量および付与時間（タイミングを含む）を制御可能であることが好ましい。インクジェットヘッドは、微小量の発光寄与物質を、短時間で付与することが可能であり、発光寄与物質の付与量および付与時間を容易に制御可能である。従って、ヘッド５としてインクジェットヘッドを用いることが好ましい。また、図示しないが、吐出手段は、ヘッド５を担体表面に対して２次元方向に移動する移動手段を有している。ただし、相対的な移動が実現できれば、ヘッド５は固定し、載置する載置台３を移動させる構成でもよく、両者が移動する構成としてもよい。
【００１８】
インクジェット記録装置では、記録ヘッドからインクを吐出させて記録を行うために非接触で印字が可能であり、このために非常に安定した記録画像を得ることができる。この機能を利用して、発光寄与物質を含む微小液滴を位置精度よく担体表面に配置することができる。
【００１９】
吐出手段としては、微小液滴を所望の位置に、所望の量で、且つ所定のタイミングで、局所的に付与することができる手段であればどのような構成であっても構わない。従って、インクジェットヘッドの他に、例えば、ピンスポッターなども利用可能である。インクジェットヘッドとしては、プリンターなどの画像形成に用いられる公知のインクジェットヘッドを適宜利用することができる。インクジェット方式としては、ピエゾ（圧電）素子の駆動によりヘッド内の液体に吐出エネルギーを付与する方式や、熱エネルギーを付与するバブルジェット（登録商標）方式が挙げられ、いずれも使用可能である。
【００２０】
本発明において微小液滴とは、発光寄与物質である、化学発光試薬、化学発光反応における基質、および化学発光反応における増感試薬の少なくとも一つをプローブ担体上に局所的に滴下する液滴を言う。熱エネルギーを用いる方式およびピエゾ素子を用いる方式を用いて吐出量の制御が可能な液体の量は、２〜５０ピコリットル程度であるため、これらは微量物質をプローブ担体上に局所的に付与する手段として極めて有効である。
【００２１】
図１に示す装置では、複数（ここでは３つ）のタンク４が存在し、それぞれのタンクに対応して流路６およびノズル７が設けられており、それぞれのタンクから独立に発光反応寄与物質を吐出可能となっている。この構成により例えば発光試薬、基質および増感剤をそれぞれ独立にタンクに収容しておき、それぞれ独立に担体に付与することができる。この形態はインクジェット方式に好適である。
【００２２】
一方、図２に示す装置では、複数（ここでは３つ）のタンクからの発光反応寄与物質をそれぞれのタンクに連通する複数の流路６から混合槽９に導いて混合し、混合された発光反応寄与物質を一つの吐出ノズル７から吐出するように構成される。この構成により、例えば発光試薬、基質および増感剤をそれぞれ独立にタンクに収容しておき、これらの混合液を一つの吐出ノズルから吐出することができる。この形態はインクジェット方式に好適である。
【００２３】
またこの装置は、発光反応により生じた発光シグナル検出する検出手段８を有する。さらに検出手段が、該液滴が吐出されたタイミングに基いて、該液体が付与されたプローブ位置の発光シグナルを検出する手段であることが好ましく、前記液体を吐出すると同時であるかまたは直後からの担体上の付与した位置における発光シグナルを検出可能な構成であるとより好ましい。
【００２４】
化学発光試薬等の発光反応寄与物質を付与した直後の発光量を容易に検出できるように、担体は石英ガラスなどの透明基板とし、検出手段を基板の裏面側（発光反応寄与物質が付与される側を表面側とする）から発光シグナル検出する位置に配することが好ましい。この場合、載置台は、裏面側からの受光を可能とする構成とする。例えば載置台の少なくともスポット２からの発光を載置台の裏面側に透過させる部分を透明にすることで、裏面側からの受光が可能となる。検出手段としては光電子増倍管を用いて発光量を検出する手段、または基板上にＣＣＤ、ＣＭＯＳ等のセンサを設けた検出手段等が利用可能である。
【００２５】
発光反応は化学発光反応もしくは生物発光反応とすることができる。発光寄与物質としては、検出に利用する化学発光反応系に応じて、化学発光試薬、化学発光反応における基質、および化学発光反応における増感試薬の少なくとも一つを用いることができる。あるいは、検出に利用する化学発光反応系に応じて、発光寄与物質として、生物発光試薬、生物発光反応における基質、および生物発光反応における増感試薬の少なくとも一つを用いることができる。
【００２６】
化学もしくは生物発光試薬として、化学もしくは生物発光に用いられる公知の試薬を適宜用いることができる。例えばルミノール、イソルミノール、ルシフェリンを用いることができる。化学もしくは生物発光反応における基質として、化学もしくは生物発光に用いられる公知の基質を適宜用いることができる。例えば、過酸化水素を用いることができる。化学もしくは生物発光反応における増感剤として、化学もしくは生物発光に用いられる公知の増感剤を適宜用いることができる。例えば、ｐ−ヨードフェノールを用いることができる。
【００２７】
発光寄与物質は、適宜溶媒に溶解させて用いることができる。
【００２８】
酵素としては、化学もしくは生物発光反応に関して触媒となる公知の酵素を適宜用いることができる。例えば、西洋わさびペルオキシダーゼ、アルカリホスファターゼ、ルシフェラーゼを用いることができる。
【００２９】
以上説明したように、本発明によれば、スポット（プローブの固定領域）上のみに発光反応寄与物質を添加することができ、基板上に非特異的に吸着した酵素が検出されることを防止することができる。より具体的には、発光反応寄与物質を収容するタンクと発光反応寄与物質の液滴を吐出するノズルを有するヘッドを装置に設け、発光反応寄与物質の液滴を担体上に付与することにより、担体上のスポット領域のみに試薬を局所的に添加することが可能となる。さらに、発光反応寄与物質の付与量および付与時間を制御することにより、例えば超微量の発光反応寄与物質を局所的にスポット上に滴下することにより、発光量の再現性を高めることができる。
【００３０】
本発明を利用すれば、発光反応を用いた生体試料検査を微量かつ正確に行うことが可能となる。
【００３１】
また、本発明の検出法では、基板上のスポット領域以外に非特異的に吸着した酵素は、発光反応寄与物質が付与されないので検出に影響を及ぼさない。このため、バックグラウンド（プローブ位置以外からの非特異的な発光）の発光量が増加することはない。特開平０７−１９０９３７号公報記載のフローインジェクション法を用いてスポットに添加する装置では、フローインジェクターを装置に取り付けることにより化学発光試薬と化学発光反応における基質および化学発光反応における増感試薬を基板上に添加する。この方法では基板全体に試薬が適下されるため、スポット領域以外に非特異的に吸着した酵素も発光反応を起こし、バックグラウンド化学発光が大きくなり化学発光のＳ／Ｎ比が悪くなることがあった。また、フローインジェクション法においては、複数の化学発光試薬を同時に添加するため、発光反応時間の制御が困難であり、発光量の再現性にばらつきが生じることがあった。
【００３２】
本発明の方法を用いることにより、基板上に非特異的に吸着した酵素を検出することを防止でき、発光反応を用いた酵素検出においてＳ／Ｎ比を向上させることのできる好適なプローブ担体を用いた標的物質の検出方法および装置を提供することができる。
【００３３】
（標的物質の検出方法）
次に、本発明に係る標的物質の検出方法についてより詳細に説明する。本実施形態の検出方法は、以下の工程を有する。
（１）標的物質をプローブ担体上のプローブと反応させる工程。
（２）前記プローブ担体上のプローブが固定されている位置に、発光反応に寄与する反応寄与物質を含む液滴を担体上に形成する工程。
（３）前記プローブが固定されている位置の発光シグナルを検出する工程。
【００３４】
各工程を以下に詳細に説明する。
（１）標的物質をプローブ担体上のプローブと反応させる工程
プローブ担体に発光反応に寄与する反応寄与物質を含む液滴を担体上に形成する工程に先立ち、標的物質をプローブ担体上のプローブと反応させる。本発明に利用できるプローブ担体に関しては、既に述べた。本形態では、標的物質がＤＮＡである場合について説明する。本工程では、血液や便などの検体から抽出した標的ＤＮＡをプローブ担体と反応させる。反応に際し、検体からの標的ＤＮＡの抽出、増幅、プローブ担体との反応（ハイブリダイゼーション反応）の処理条件等は従来法（例えば、特開平１１−１８７９００号公報に記載）に従えばよい。
【００３５】
ただし、後の化学発光検出を可能とする標識を標的核酸に結合させておくことが好ましい。例えばビオチン等の酵素を標的核酸に結合させておくことや、サンドイッチアッセイ用の酵素標識プローブを標的核酸にハイブリダイゼーション反応で結合させる方法が挙げられる。
【００３６】
上記の反応工程の後、担体上のプローブと反応しなかったＤＮＡ等を担体から除去するために洗浄するとよい。ただし、従来の蛍光検出のように、スポットの周囲からの発光は観察されないので、従来のようなブロッキング処理等の作業は不要である。
【００３７】
（２）プローブ担体上のプローブが固定されている位置に、発光反応に寄与する反応寄与物質を含む液滴を担体上に形成する工程
次に、アレイ上のプローブが固定されている位置（スポット位置）に、発光寄与物質を含む液滴を吐出し、スポット位置に液滴を形成する。各々のスポットに発光試薬が吐出されるタイミング、および量は、それぞれ個別に制御されていても構わないが、同時に吐出されるか、または順次に所定の時間間隔で、且つ同量を吐出することがより好ましい。
【００３８】
上記（１）の工程で標的物質が反応したプローブ固定位置においては、反応寄与物質によって反応が生じ、発光シグナルが観測される。吐出手段は、担体に向かって試薬を液滴として吐出するものである。これにより、担体表面に試薬を含む液滴が形成される。担体表面での液滴形成は、液滴の吐出速度、液体の組成（粘度、表面張力）、担体の表面状態を考慮し、担体上に液滴として保持されるように調整することで可能となる。
【００３９】
更に、液滴を担体上に形成する工程は、
プローブ担体上のプローブが固定されている位置に、発光試薬を含む液滴を吐出する第１の工程と、
プローブ担体上のプローブが固定されている位置に、発光反応における基質を含む液滴を吐出する第２の工程と、
プローブ担体上のプローブが固定されている位置に、発光反応における増感試薬を含む液滴を吐出する第３の工程と、
の少なくとも１つの工程を有するとよい。
【００４０】
検出に用いる発光反応系に応じて、上記の第１〜第３の工程を全てを用いる場合や、それらのうちの２つの工程を用いる場合がある。また、複数の工程を行う場合は、工程の順番は適宜変更可能である。中でも、上記の第１〜第３の工程を全て行う場合が好ましい。
【００４１】
または、発光反応に寄与する反応寄与物質を含む液滴を吐出する前に、前記発光試薬、発光反応における基質および発光反応における増感試薬の中から選択される少なくとも２つ以上を混合して、この混合物を吐出してもよい。
【００４２】
（４）発光シグナルを検出する工程
上記（３）の工程において、スポット位置に発光寄与物質、例えば発光試薬が吐出されることで、発光反応が開始される。この反応は、用いる試薬によって急峻であったり、緩慢であったりするが、一般的には図３（ａ）のシグナルの時間変化に示されるように急峻（数マイクロ秒内で反応が終了する）な反応を示す。また、発光用試薬の吐出により発光反応が開始されない場合、つまり標的物質が存在しない場合のシグナルの変化を（ｂ）に示す。この変化の差異を検出することで、従来の蛍光法よりも高感度な検出（存在有無および定量分析）が可能となる。
【００４３】
複数のプローブ位置に同じ発光寄与物質を順次吐出し、その吐出のタイミングに応じて発光シグナルを観測することが好ましい。すなわち、反応の開始時間が吐出のタイミングによって制御され、検出するタイミングもこれに同期することもできる。よって、たとえば図１に示すようなヘッド走査型の吐出を行う方法であれば、その検出手段も吐出手段に追随して走査型とすることができ、より簡便な検出が可能となる。
【００４４】
また、ＣＣＤやＣＭＯＳから成るエリアセンサを用いて、全てのプローブが固定されている領域全体を経時的にモニターしてもよい。その場合は、吐出のタイミングの情報と検出される結果とが対応付けられたデータとして出力する構成であることが好ましい。
【実施例】
【００４５】
以下に実施例を用いてより詳細に説明する。
【００４６】
図１に示す構成を有する装置を用いて酵素検出を行った。
〔実施例１〕
（１）担体作成
１インチ×３インチ（２５．４ｍｍ×７６．２ｍｍ）、厚さ１ｍｍのガラス石英担体を準備した。石英ガラス担体を水で軽く洗浄した後、担体洗浄専用液に浸し２０分間超音波洗浄を行った後、一昼夜そのまま放置した。担体を取り出し、水及び超純水にて洗浄液を洗い流した後、６０℃にあらかじめ加熱した１Ｍ（ｍｏｌ／ｌ）のＮａＯＨ水溶液に２０分間浸した。担体を取り出し、水及び超純水でＮａＯＨ水溶液を洗い流し、超純水中で２０分間超音波洗浄を行なった。
【００４７】
続いて、あらかじめ１質量％の濃度となるように水に溶解し、約１時間加水分解したシランカップリング剤（信越化学工業社製、商品名：ＫＢＭ６０３）に担体を１時間浸した。超純水にて軽く洗浄した後、表面に残った水滴を窒素ガスにて飛ばし乾燥させ、１２０℃のオーブンにて２時間ベークした。このシランカップリング剤をガラス表面に結合させたことでガラス表面にアミノ基が導入されたことになる。
【００４８】
続いて、同仁化学社製の架橋剤であるＥＭＣＳ（商品名。Ｎ−（６−Ｍａｌｅｉｍｉｄｏｃａｐｒｏｙｌｏｘｙ）ｓｕｃｃｉｎｉｍｉｄｅ）を混合溶媒（エタノール：ジメチルスルホキシド＝１：１（体積ベース））に１０ｍｌあたり３ｍｇの割合で溶解させた。得られたＥＭＣＳ溶液に先にベークしたガラス担体を浸し、２時間放置した。ＥＭＣＳ溶液より担体を出し、先程と同じ混合溶媒にて軽く洗浄を行なった後、表面の液滴をエタノールに置換し、窒素ガスにて液滴を飛ばし乾燥した。これによりＥＭＣＳが担体全面（両面）に結合された担体（ＥＭＣＳ担体）を得た。ＥＭＣＳはスクシイミド基とマレイミド基を有し、スクシイミド基が担体表面のアミノ基と結合するため、担体表面にはマレイミド基が導入されたことになる。
（２）ＤＮＡ結合
末端にチオール基（ＳＨ基）を結合させた２５ｍｅｒの修飾ＤＮＡ（プローブ）を、株式会社ベックスに依頼して合成した。塩基配列は下記に示す配列で、５'末端にＳＨ基を結合させた。
（配列）  ５'ＨＳ−ＣＧＴＡＣＧＡＴＣＧＡＴＧＴＡＧＣＴＡＧＣＡＴＧＣ  ３'
プローブ固相化の方法は、特開平１１−１８７９００号公報の実施例に従った。
（３）ハイブリダイゼーション
担体に結合させたＤＮＡと相補的な配列を持つ、２５ｍｅｒのビオチン標識ＤＮＡを株式会社ベックスに依頼して合成した。ビオチン標識ＤＮＡを１Ｍ  ＮａＣｌ／５０ｍＭリン酸緩衝液（ｐＨ７．０）に最終濃度１μＭとなるように溶解し、得られた溶液２ｍｌを担体とともにハイブリパックに封入し、ハイブリダイゼーション反応を３時間行なった。その後、担体を１Ｍ  ＮａＣｌ／５０ｍＭリン酸緩衝液（ｐＨ７．０）溶液にて洗い流した。
（４）酵素標識
ストレプトアビジン結合西洋わさび由来ペルオキシダーゼを１Ｍ  ＮａＣｌ／５０ｍＭリン酸緩衝液（ｐＨ７．０）に最終濃度１μＭとなるように溶解し、得られた溶液２ｍｌを担体上に滴下し室温で１時間インキュベーションを行うことにより、アビジン−ビオチン結合を用いた酵素標識を行った。その後、担体を１Ｍ  ＮａＣｌ／５０ｍＭリン酸緩衝液（ｐＨ７．０）溶液にて洗い流し、測定対象である担体１を得た。
【００４９】
（５）化学発光反応
三つの溶液タンク４に、５．０×１０-2Ｍルミノール（和光純薬製）、１．０×１０-2Ｍ過酸化水素溶液、５．０×１０-2Ｍのｐ−ヨードフェノール溶液をそれぞれ入れた、ルミノールは水酸化ナトリウム水溶液を用いてアルカリ条件で溶解した後、３−（Ｎ−モルホリノ）プロパンスルホン酸（ＭＯＰＳ）緩衝液を用いてｐＨ７．２に調製した。ｐ−ヨードフェノール溶液に関してもＭＯＰＳ緩衝液を用いてｐＨを７．２に調製した。化学発光試薬の吐出は、試作のインクジェットヘッドを用いて行った。
【００５０】
用いたインクジェットヘッドは、吐出オリフィス、該吐出オリフィスに連通した液体を収容する液室、および該液室内に設けられた液体に吐出エネルギーを付与する発熱部、を有する担体からなる。担体内の発熱部に電気信号が加わると、ここに接している液体に気泡が発生し、その圧力で吐出オリフィスから液滴が吐出し、固層表面に向かって飛翔する。このような構造を備えたヘッドを用いて吐出可能な液体の量は、２〜５０ピコリットル程度に制御することが可能である。
【００５１】
なお、市販のインクジェットプリンターを改造してもよい。例えば、バブルジェットプリンター（商品名：ＢＪＦ−８５０、キヤノン（株）社製）を平板へのインクジェット印刷が可能なように改造を施し、所定のファイル作成方法に従って印字パターンを入力することにより、約５ｐｌの試薬液滴を、約１２０μｍピッチで吐出することが可能となる。
【００５２】
そして、試薬をインクジェットプリンター用インクタンクに充填し、印字ヘッドに装着する。続いて、この改造インクジェットプリンターを用いて、ガラス担体表面に試薬の吐出操作を行えばよい。
【００５３】
（６）化学発光検出
図１に示すように、担体１を設置したステージ（載置台）３の下に検出器８を固定し、化学発光試薬を担体上に滴下した直後からの発光量を検出した。検出器は浜松ホトニクス株式会社製の高解像度デジタルＢ／Ｗ冷却ＣＣＤカメラであるＯＲＣＡ  ＩＩ−ＥＲ−１３９４（商品名）を使用した。ＣＣＤカメラの露出時間は１０秒とした。その結果、スポット当りの化学発光強度１００およびＳ／Ｎ比２０の発光量が得られた。また、５回測定における化学発光強度の平均値に対する３σ（σは標準偏差）は０．０４７となり、化学発光強度の再現性が非常に高いことが明らかとなった。
【００５４】
〔実施例２〕
５．０×１０-2Ｍルミノールに替えて５．０×１０-2Ｍイソルミノール（和光純薬製）を用いたこと以外は実施例１と同様の試験を行ったところ、実施例１と同様の結果が得られた。
【００５５】
〔実施例３〕
ストレプトアビジン結合西洋わさび由来ペルオキシダーゼに替えてストレプトアビジン結合アルカリホスファターゼを用いたこと以外は実施例１と同様の試験を行ったところ、ストレプトアビジン結合アルカリホスファターゼも本発明において好適に用いることができることが確認できた。
【００５６】
〔実施例４〕
ストレプトアビジン結合西洋わさび由来ペルオキシダーゼに替えてストレプトアビジン結合ルシフェラーゼを用いたことおよび発光試薬としてキッコーマン株式会社製の発光試薬キットであるインテライトＡＢ（商品名）を用いたこと以外は実施例１と同様の試験を行ったところ、これら酵素及び発光試薬も本発明において好適に用いることができることが確認できた。
【００５７】
〔実施例５〕
（１）担体作成
１インチ×３インチ（２５．４ｍｍ×７６．２ｍｍ）、厚さ１ｍｍのガラス石英担体を準備した。石英ガラス担体を水で軽く洗浄した後、担体洗浄専用液に浸し２０分間超音波洗浄を行った後、一昼夜そのまま放置した。担体を取り出し、水及び超純水にて洗浄液を洗い流した後、６０℃にあらかじめ加熱した１ＭのＮａＯＨ水溶液に２０分間浸した。担体を取り出し、水及び超純水でＮａＯＨ水溶液を洗い流し、超純水中で２０分間超音波洗浄を行なった。
（２）抗原抗体複合体の形成
ウサギＩｇＧ試料溶液（５．０ｍｇ／ｍｌ）２μｌを担体上に滴下し、担体を室温で完全に乾燥した。リン酸緩衝生理食塩水（ＰＢＳ、ｐＨ７．０）で担体を３回洗浄した後、ブロッキング剤として３質量％のＢＳＡ（牛血清アルブミン）溶液を加え、３７℃で２時間インキュベートを行った。ＰＢＳで３回洗浄した後、ペルオキシダーゼ結合ヤギ抗ウサギＩｇＧ抗体溶液（５．０ｍｇ／ｍｌ）５μｌをウサギＩｇＧのスポット上に滴下し、３７℃で１時間インキュベートを行った。
【００５８】
（化学発光反応および化学発光検出）
実施例１の（５）、（６）と同様に化学発光反応および化学発光検出を行った。その結果、スポット当りの化学発光強度１４０およびＳ／Ｎ比２５の発光量が得られた。また、５回測定における化学発光強度の平均値に対する３σは０．０７６となり、化学発光強度の再現性が非常に高いことが明らかとなった。
【００５９】
以上の結果は、ＤＮＡプローブまたはタンパクを固定化したスポット領域のみに化学発光試薬を滴下した場合でも検出に十分な発光量が得られることを示しており、担体上にウエルなどの反応槽を形成しなくても、反応場の極小化により、平面担体上での化学発光検出が可能なことを示している。
【図面の簡単な説明】
【００６０】
【図１】本発明の酵素検出装置の例を示す模式図である。
【図２】本発明の酵素検出装置の別の例を示す模式図である。
【図３】化学発光反応時の発光シグナルの経時変化を模式的に示す図である。
【符号の説明】
【００６１】
１  担体
２  スポット
３  ステージ（載置台）
４  タンク
５  ヘッド
６  流路
７  吐出ノズル
８  受光手段
９  混合槽
【図１】
2007178428.tif 000003
【図２】
2007178428.tif 000004
【図３】
2007178428.tif 000005
【配列表】
2007178428000001.app